(57)【要約】【課題】  小型化及び低コスト化を実現し、かつ容易な操作により表示形式に適合した画像表示を行う。【解決手段】  第１の筐体１０１が第２の筐体１０２に対して０度回転の場合は電話モードとして動作して表示部１０３にテレビ電話形式での映像を表示し、第２の筐体１０１が第２の筐体１０２に対して９０度回転の場合はテレビモードとして動作して表示部１０３にテレビ形式での映像を表示する。【選択図】  図９
2006148224.tif 000002
【特許請求の範囲】
【請求項１】
表示形式の異なる複数の入力源からの画像を表示可能な画像表示装置であって、
操作手段を有する第１本体部と、
画像を表示可能な表示手段を有する第２本体部と、
前記第１及び第２の本体部を連結し、前記第２本体部が前記第１本体部に対して回転可能とする連結部と、を備え、
前記第２本体部の前記第１本体部に対する回転状態に応じて、前記表示手段に表示すべき画像を切り替える表示制御手段と、
を備えることを特徴とする画像表示装置。
【請求項２】
前記画像表示装置は、テレビ放送の受信により得られた映像を表示するテレビモードとテレビ電話通信により得られた映像を表示する電話モードとを有し、前記第２本体部の回転状態に応じて前記テレビモードと前記電話モードとが切り替わることを特徴とする請求項１に記載の画像表示装置。
【請求項３】
前記連結部は、前記第１本体部を使用して前記表示手段を遮蔽する方向に前記第２本体部を移動させることが可能であり、前記表示制御手段は、前記第２本体部の移動状態に応じて、前記表示手段の画像表示のＯＮ／ＯＦＦを制御することを特徴とする請求項１に記載の画像表示装置。
【請求項４】
前記テレビモード時は前記操作手段に含まれるキーがテレビ用になり、前記電話モード時は前記キーが電話用になることを特徴とした請求項２または３に記載の画像表示装置。
【請求項５】
前記表示制御手段は、前記電話モード時は前記表示手段のアスペクト比が前記電話モード用になり、前記テレビモード時は、前記表示手段のアスペクト比が前記テレビモード用になることを特徴とした請求項２〜４のいずれかに記載の画像表示装置。
【請求項６】
操作手段を有する第１本体部と、画像を表示可能な表示手段を有する第２本体部と、前記第１及び第２の本体部を連結し、前記第２本体部が前記第１本体部に対して回転可能とする連結部と、を備え、表示形式の異なる複数の入力源からの画像を表示可能である画像表示装置の表示制御方法であって、
前記第２本体部の前記第１本体部に対する回転状態に応じて、前記表示手段に表示すべき画像を切り替える表示制御工程、を備えることを特徴とする画像表示装置の表示制御方法。
【請求項７】
操作手段を有する第１本体部と、画像を表示可能な表示手段を有する第２本体部と、前記第１及び第２の本体部を連結し、前記第２本体部が前記第１本体部に対して回転可能とする連結部と、を備え、表示形式の異なる複数の入力源からの画像を表示可能である画像表示装置の表示制御方法を実行するためのプログラムであって、
前記第２本体部の前記第１本体部に対する回転状態に応じて、前記表示手段に表示すべき画像を切り替える表示制御ステップ、を備えることを特徴とするプログラム。
【請求項８】
操作手段を有する第１本体部と、画像を表示可能な表示手段を有する第２本体部と、前記第１及び第２の本体部を連結し、前記第２本体部が前記第１本体部に対して回転可能とする連結部と、を備え、表示形式の異なる複数の入力源からの画像を表示可能である画像表示装置の表示制御方法を実行するためのプログラムコードを記憶した記憶媒体であって、
前記第２本体部の前記第１本体部に対する回転状態に応じて、前記表示手段に表示すべき画像を切り替える表示制御コード、を備えることを特徴とする記憶媒体。
【発明の詳細な説明】
【技術分野】
【０００１】
本発明は、表示形式の異なる複数の入力源からの画像を表示可能な画像表示装置、画像表示装置の表示制御方法、プログラム、及び記憶媒体に関し、特に、テレビモードとテレビ電話モードとを有するテレビ電話等に関するものである。
【背景技術】
【０００２】
従来のテレビ電話には、縦型ボディと呼ばれる形態のものがある（例えば、特許文献１参照。）また、折りたたみ式ボディと呼ばれる形態のものがある（例えば、特許文献２参照。）また、表示部を縦型か横型に切り替えられる形態のものがある（例えば、特許文献３参照。）近年、テレビの機能と電話の機能が一体化されたテレビ電話は急激な利用増に伴い、機能面、構造面等において技術革新が著しく行われている。
【０００３】
以下に、図１４と図１５の図面を用いて従来例を説明する。図１４は、一般的に縦型ボディと呼ばれる形態のテレビ電話である。ボディの上部に設けられた表示部１４０１と、ボディの下部に設けられた操作部１４０２と、本体の電源ＯＦＦモードとテレビモードと電話モードとの３つのモードを切り替えるためのスライドスイッチ１４０３とを備えている。電源ＯＦＦのモードを選択する場合はスライドスイッチ１４０３を１４０５で図示したＯＦＦのポジションにスライドさせると切り替わり、テレビモードを選択する場合はスライドスイッチ１４０３を１４０４で図示したテレビのポジションにスライドさせると切り替わり、電話モードを選択する場合はスライドスイッチ１４０３を１４０６で図示した電話のポジションにスライドさせると切り替わる。
【０００４】
一方、テレビ電話の構造面での改良を加えたものとして、折りたたむことにより携帯性の向上を目的とした、折りたたみ型ボディと呼ばれる形態のテレビ電話を図示したのが図１５である。固定側筐体である入力手段側筐体１５０２と、操作用の複数の入力手段１５０４と、可動側筐体である表示手段側筐体１５０１と、互いに回動するように入力手段側筐体１５０２と表示手段側筐体１５０１とを連結するヒンジ１５０３とを有する。矢印１５０５は表示手段側筐体１５０１が入力手段側筐体１５０２に対して開く方向である。矢印１５０６は、入力手段側筐体１５０２が表示手段側筐体１５０１に対して折りたたまれる方向である。本体の電源ＯＦＦモードとテレビモードと電話モードとの３つのモードを切り替えるためには専用のプッシュスイッチを備えている。電源ＯＦＦのモードを選択する場合はプッシュスイッチ１５０８をプッシュすることにより切り替わり、テレビモードを選択する場合はプッシュスイッチ１５０９をプッシュすることにより切り替わり、電話モードを選択する場合はプッシュスイッチ１５１０をプッシュすることにより切り替わる。
【０００５】
これら、図８−１と図９−１で説明したテレビ電話において共通なのは本体の電源をＯＦＦにしたり、又、本体をテレビモードにしたり、又、本体を電話モードにしたりするための設定は、モードを切り替えるための専用の入力手段を備えておりそれらの入力手段を操作することによってそれぞれのモードを切り替える構成になっている。
【０００６】
又、操作用の入力手段においてはテレビモードが選択されている時のキーと電話モードが選択されている時のキーの両方が本体に配置されており、例えば、図１４の１４０７と１４０８は電話モード用の電話帳メニューの切り替えキーであり、１４１０と１４０９はテレビモード用のチューナー周波数選択キーである。図１５を参考にすると、図１５の１５１１と１５１２は電話モード用の電話帳メニューの切り替えキーであり、１５１３と１５１４はテレビモード用のチューナー周波数選択キーである。
【０００７】
又、従来例図１４の１４０１で図示した表示部と従来例図１５の１５０７で図示した表示部においては縦長の表示が一般的であり、電話モード時は電話をかける際のアドレス帳となり多数の電話番号を同時に表示させ使用者が複数の電話番号から選択するために使用される。又、テレビモード時は、テレビの受信画面をその表示部に表示させる。表示部は電話モードが選択されていてもテレビモードが選択されていても表示部のアスペクト比は変わらないものが一般的であった。
【特許文献１】特開２０００−３３３１４８号公報
【特許文献２】特開２００１−１６５１４４号公報
【特許文献３】特開２００３−１３４２０５号公報
【発明の開示】
【発明が解決しようとする課題】
【０００８】
しかしながら、上述のような従来のテレビ電話においては、一般的に、図１４の１４０１及び図１５の１５０７において示したように縦長の表示手段が使われているため、テレビモードが選択されている場合、表示手段１５０７の表示エリアにあわせて映像を表示すると縦に長い画像が得られる。しかし、テレビモードで受像する映像は横に長い画像が殆どであるため、ユーザーにとって縦長の画像しか表示できないことは、受像して見ることができる範囲が限定される等利便性に劣るものであった。又、例えば、電源ＯＦＦモードと電話モードとテレビモードとの複数のモードを切り替えるためにそれぞれ専用の切り替えスイッチを本体に設けることは、本体の小型化、低コスト化に大きな弊害となっていた。
【０００９】
本発明は、上述した問題点を解決するためのものであり、小型化及び低コスト化を実現し、かつ容易な操作により表示形式に適合した画像表示ができる画像表示装置、画像表示装置の表示制御方法、プログラム、及び記憶媒体を提供することを目的とする。
【課題を解決するための手段】
【００１０】
上記目的を達成するために、本発明の画像表示装置は、表示形式の異なる複数の入力源からの画像を表示可能な画像表示装置であって、操作手段を有する第１本体部と、画像を表示可能な表示手段を有する第２本体部と、前記第１及び第２の本体部を連結し、前記第２本体部が前記第１本体部に対して回転可能とする連結部と、を備え、前記第２本体部の前記第１本体部に対する回転状態に応じて、前記表示手段に表示すべき画像を切り替える表示制御手段と、を備えることを特徴とする。
【００１１】
また、本発明の画像表示装置の表示制御方法は、操作手段を有する第１本体部と、画像を表示可能な表示手段を有する第２本体部と、前記第１及び第２の本体部を連結し、前記第２本体部が前記第１本体部に対して回転可能とする連結部と、を備え、表示形式の異なる複数の入力源からの画像を表示可能である画像表示装置の表示制御方法であって、前記第２本体部の前記第１本体部に対する回転状態に応じて、前記表示手段に表示すべき画像を切り替える表示制御工程、を備えることを特徴とする。
【００１２】
また、本発明のプログラムは、操作手段を有する第１本体部と、画像を表示可能な表示手段を有する第２本体部と、前記第１及び第２の本体部を連結し、前記第２本体部が前記第１本体部に対して回転可能とする連結部と、を備え、表示形式の異なる複数の入力源からの画像を表示可能である画像表示装置の表示制御方法を実行するためのプログラムであって、前記第２本体部の前記第１本体部に対する回転状態に応じて、前記表示手段に表示すべき画像を切り替える表示制御ステップ、を備えることを特徴とする。
【００１３】
また、本発明の記憶媒体は、操作手段を有する第１本体部と、画像を表示可能な表示手段を有する第２本体部と、前記第１及び第２の本体部を連結し、前記第２本体部が前記第１本体部に対して回転可能とする連結部と、を備え、表示形式の異なる複数の入力源からの画像を表示可能である画像表示装置の表示制御方法を実行するためのプログラムコードを記憶した記憶媒体であって、前記第２本体部の前記第１本体部に対する回転状態に応じて、前記表示手段に表示すべき画像を切り替える表示制御コード、を備えることを特徴とする。
【発明の効果】
【００１４】
本発明によれば、小型化及び低コスト化を実現し、かつ容易な操作により表示形式に適合した画像表示ができる。例えば、前記表示部の表示形式（縦型、横型）を選択でき、その選択状態の応じてテレビモードと電話モードと電源ＯＦＦとが切り替わる構成をとることができるため、電源ＯＦＦモードと電話モードとテレビモードとの３つのモードの切り替えを行うために専用のキーが不要になりテレビ電話本体の小型化、低コスト化を実現することが可能となる。又、テレビモードが選択されている場合は前記表示部が横長の形態になるため実際のテレビを受信したときの映像のアスペクト比に近くなるため違和感の無いテレビの視聴を可能とする。
【発明を実施するための最良の形態】
【００１５】
以下、図面を参照して本発明の実施の形態を説明する。
【００１６】
（第１の実施形態）
図１及び図２及び図３は、本発明の第１の実施形態におけるテレビ電話の構成を示すものである。１０３は表示部であり、電話モード時には送信時の電話番号の表示や電話帳のメモリ表示を行う。又、テレビモード時には受信したテレビ映像を表示する。１０４はスピーカーであり、電話モード時には受話用に使い、テレビモード時にはテレビの音声を出力させる。１０１は前記表示部１０３と前記スピーカー１０４を有する第１の筐体である。１０５はマイクであり、電話モード時に送話用に使う。１０６は入力キーを有した操作部であり、電話モード時には電話番号の入力や電話帳の設定及びその選択時に使用しテレビモード時にはチャンネル選択設定や音量ボリューム調整やチャンネルの周波数設定時に使用する。１０２は前記マイク１０５と前記操作部１０６を有する第２の筐体である。１０７は前記第１の筐体１０１と前記第２の筐体１０２とを接続するためのヒンジ部である。前記ヒンジ部１０７は、前記第１の筐体１０１と前記第２の筐体とが開閉可能に連結されていて、且つ、前記開閉軸と直交する第２の軸に対して回転自在に構成されている。
【００１７】
図１は前記第１の筐体１０１と前記第２の筐体１０２とを重ね合わされた状態を示す外観図である。この状態では電源ＯＦＦモードとなる。図２は前記第１の筐体１０１と前記第２の筐体１０２とが前記ヒンジ部１０７を開閉方向に開いた状態を示した外観図である。この状態では電話モードとなる。図３は前記第１の筐体１０１と前記第２の筐体１０２とが前記ヒンジ部１０７を開閉方向に開き、且つ、前記開閉軸と直交する第２の軸に対して回転方向に９０度回転した状態を示した外観図である。この状態ではテレビモードとなる。
【００１８】
次に図８のブロック図を用いて説明する。８０１はヒンジ部回転角度検出手段１である。この検出部は前記ヒンジ部１０７における回転角度を検出していて、特に、前記第１の筐体１０１と前記第２の筐体との開閉の度合いを検出する。８０２はヒンジ部回転角度検出手段２である。この検出部は前記ヒンジ部１０７における回転角度を検出していて、特に、前記第１の筐体１０１と前記第２の筐体との開閉軸に直交した第２の軸の回転の度合いを検出する。８０３は電源ＯＦＦモードとテレビモードと電話モードとを切り替えるための切り替え手段であって、前記８０１ヒンジ部回転角度検出手段１と前記８０２ヒンジ部回転角度検出手段２の出力から電源ＯＦＦモードとテレビモードと電話モードの３つのモードのうちのいずれかを選択し、モードの切り替えを行うための手段である。
【００１９】
次に図９のフローチャートを用いて具体的なモードの切り替えについて説明する。
【００２０】
まず、Ｓ９０１において前記第１の筐体１０１と前記第２の筐体１０２との開閉の度合いを検出する。もし、開閉角度が９０度以下であるならば、９０５にて電源ＯＦＦモードとする（具体的な図は図１参照）。もし、Ｓ９０１において前記第１の筐体１０１と前記第２の筐体１０２との開閉の度合いが９０度以上と判断されたならば、Ｓ９０２において、前記第１の筐体１０１と前記第２の筐体との開閉軸に直交した第２の軸の回転の度合いを検出する。もし、回転の度合いが９０度未満であるならばＳ９０４にて電話モードに切り替える（具体的な図は図２参照）。もし、Ｓ９０２において前記第１の筐体１０１と前記第２の筐体との開閉軸に直交した第２の軸の回転の度合いが９０度と判断されたならばＳ９０３にてテレビモードに切り替える（具体的な図は図３参照）。但し、前記Ｓ９０１においてヒンジ部１の回転角度を９０度以上かどうか判断しているが、ここで言う回転角度は９０度と限定されるものではなく何度でも構わない。又同様に、前記Ｓ９０２においてヒンジ部２の回転角度を９０度かどうか判断しているが、ここで言う回転角度は９０度と限定されるものではなく何度でも構わない。
【００２１】
つまり、ここで説明したように、電源ＯＦＦモードと電話モードとテレビモードとの３つのモードの切り替えを、前記第１の筐体と前記第２の筐体との開閉度合い及び開閉軸に直交した第２の軸の回転の度合いにより切り替え可能としたことにより、電源ＯＦＦモードでは、第１の筐体と第２の筐体が重なり合わせられるため、テレビ電話本体を収納し持ち運ぶ際や衣服のポケットに無造作に携帯する場合などにおいても、第１の筐体にある表示部分が保護される形態になるため前記表示部１０３が傷等の外傷に強くなり、又、第２の筐体における操作部分も保護されるため誤って操作キーを操作してしまうことを防止できる。又、電話モードでは、前記第１の筐体と前記第２の筐体とが前記ヒンジ部１０７を介して、開閉方向に開いた状態となり前記スピーカー１０４と前記マイク１０５との物理的な距離が長くなり使用者にとって使いやすい形態になる。又、使用者は前記表示部１０３を直視しながら前記操作キー１０６を操作することが可能なため電話番号の入力や電話帳の編集及び設定及び選択作業が容易になる。又、テレビモードでは前記表示部１０３が横長の形態になるため実際のテレビを受信したときの映像のアスペクト比に近い形態になる。使用者は、前記表示部１０３を直視しながら前記操作キー１０６を操作することが可能なためテレビのチャンネルの選択を実際に表示部を見ながら選択作業ができる。
【００２２】
以上、説明したように、電源ＯＦＦモードと電話モードとテレビモードの３つのモードの切り替えを、前記第１の筐体と前記第２の筐体を前記ヒンジ部１０７の連結状態を変える事により切り替え可能になるため、電源ＯＦＦモードと電話モードとテレビモードとの３つのモードの切り替えを行うために専用のキーが不要になりテレビ電話本体の小型化、低コスト化を実現することが可能となる。
【００２３】
（第２の実施形態）
図４及び図５は、本発明の第２の実施形態におけるテレビ電話の構成を示すものである。本実施形態において、電源ＯＦＦモードと電話モードとテレビモードとの３つのモードの切り替え方法については第１の実施形態と同じであるためここでの説明は割愛する。
【００２４】
ここではテレビモードと電話モードとが切り替わったときに特定のキーのファンクションが選択されたモードに応じて切り替わる特徴について説明する。
【００２５】
図４は、電話モードを図示したものである。１０８にはメール用メニューの切り替え１、１０９にはメール用メニューの切り替え２がそれぞれ割り付けられている。図５はテレビモードを図示したものである。１１０には音量ボリュームの切り替え１（音量＋方向への切り替え）、１１１には音量ボリュームの切り替え２（音量−方向への切り替え）がそれぞれ割り付けられている。これらのキーは従来例の図１４においては、１４０７と１４０８と１４０９と１４１０に図示されており、
又、従来例の図１５においては、１５１１と１５１２と１５１３と１５１４に図示されている。つまり、従来例では、これらの、メール用メニューの切り替え１、メール用メニューの切り替え２、音量ボリュームの切り替え１（音量＋方向への切り替え）、音量ボリュームの切り替え２（音量−方向への切り替え）の４つのファンクションキーについては、それぞれ独立に４つのキーを用いて配置されていた。
【００２６】
次に図１０のブロック図を用いて説明する。図１０の８０１〜８０３までは第１の実施形態の図８における８０１〜８０３までと同じ構成になっているためここでの説明は割愛する。１００１は、前記８０３電源ＯＦＦモード／テレビモード／電話モード切り替え手段によって選択されたモードに応じたファンクションキーを割り付ける手段である。
【００２７】
次に図１１のフローチャートを用いて具体的なファンクションキーの割り付けについて説明する。図１１のＳ９０１〜Ｓ９０５までは第１の実施形態の図９におけるＳ９０１〜Ｓ９０５までと同じ構成になっているためここでの説明は割愛する。Ｓ１１０１ではテレビモード用のキーの割付を行う。Ｓ１１０２では電話モード用のキーの割付を行う。例えば、テレビモード時には、メール機能を使うことは無いため、メール用メニューの切り替え１、メール用メニューの切り替え２のキーは本体に割り付けられている必要は無い。又、同様に電話モード時には、音量ボリュームを頻繁に変える必要は無いため、音量ボリュームの切り替え１（音量＋方向への切り替え）、音量ボリュームの切り替え２（音量−方向への切り替え）は、本体に割り付けられている必要は無い。
【００２８】
つまり、電話モードとテレビモードのモードに応じて必要な機能が異なるため、それぞれのモードに必要なキーだけを割り付けることにより、テレビ電話本体のキーの数を削減することが可能となり、その結果、テレビ電話本体の小型化と低コスト化を実現する。
【００２９】
（第３の実施形態）
図６及び図７は、本発明の第３の実施形態におけるテレビ電話の構成を示すものである。本実施形態において、電源ＯＦＦモードと電話モードとテレビモードとの３つのモードの切り替え方法については第１の実施形態と同じであるためここでの説明は割愛する。
【００３０】
ここではテレビモードと電話モードとが切り替わったときに前記表示部１０３のアスペクト比が選択されたモードに応じて切り替わる特徴について説明する。
【００３１】
図６は、電話モードを図示したものである。図７はテレビモードを図示したものである。
【００３２】
これらの前記表示部１０３は従来例の図１４の１４０１や図１５の１５０７に図示されているとおり、これらの表示部のアスペクト比は、電話モードが選択されていても、テレビモードが選択されていても、切り替わるものではなく固定されているものであった。
【００３３】
次に図１２のブロック図を用いて説明する。図１２の８０１〜８０３までは実施形態１の８０１〜８０３までと同じ構成になっているためここでの説明は割愛する。１２０１は、前記８０３電源ＯＦＦモード／テレビモード／電話モード切り替え手段によって選択されたモードに応じたアスペクト比を選択するための手段である。
【００３４】
次に図１３のフローチャートを用いて具体的なファンクションキーの割り付けについて説明する。
【００３５】
図１３のＳ９０１〜Ｓ９０５までは第１の実施形態の図９におけるＳ９０１〜Ｓ９０５までと同じ構成になっているためここでの説明は割愛する。Ｓ１１０１ではテレビモード用のアスペクト比を選択する。Ｓ１１０２では電話モード用のアスペクト比の選択を行う。例えば、テレビモード時には、テレビの受像画面のアスペクト比は、横対縦は４対３のものや１６対９のものが通常であり、その受信画像に応じてアスペクト比を切り替えることを可能としている。又、電話モード時には横対縦のアスペクト比が１対１でも良いし複数の電話帳を表示させる場合においては１対３等、縦長の表示にさせてなるべく多くの情報量を表示させることが便利である。
【００３６】
つまり、電話モードとテレビモードのモードに応じて、表示部のアスペクト比を切り替えることによって、使用者が必要な情報を多く得ることを可能とする。
【００３７】
（他の実施形態）
上記実施形態においては、表示形式の異なる複数の入力源からの画像を表示可能な画像表示装置として、テレビ放送の受信により得られた映像を表示するテレビモードとテレビ電話通信により得られた映像を表示する電話モードを有するテレビ電話装置を例に説明したが、本発明はこれに限るものではない。
【００３８】
たとえば、電話モードと、カメラ撮影モードを有する携帯電話装置であってもよい。この場合、例えば、表示部の背面にデジタルカメラを設け、上記実施形態におけるテレビ機能に関るブロック、フローをそのままデジタルカメラに置き換えることにより、実施することができる。
【００３９】
また、上記実施形態において説明した８０１〜８０３、１００１、１２０１の各手段は、ハードウェアとして構成されているものであるが、その一部をソフトウェアにより構成してもよい。
【００４０】
本発明の目的は、前述した各実施形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００４１】
この場合、記憶媒体から読み出されたプログラムコード自体が本発明の新規な機能を実現することになり、そのプログラムコードを記憶した記憶媒体およびプログラムは本発明を構成することになる。
【００４２】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００４３】
また、コンピュータが読み出したプログラムコードを実行することにより、前述した各実施形態の機能が実現されるだけでなく、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【００４４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施形態の機能が実現される場合も含まれる。
【図面の簡単な説明】
【００４５】
【図１】実施形態１における、テレビ電話の第１の筐体と第２の筐体とが重ねあわされた状態を示した図であり「電源ＯＦＦモード」が選択されたときの外観図である。
【図２】実施形態１における、テレビ電話の第１の筐体と第２の筐体とがヒンジ部を介して開閉方向に開かれた状態を示した図であり「電話モード」が選択されたときの外観図である。
【図３】実施形態１における、テレビ電話の第１の筐体と第２の筐体とがヒンジ部を介して開閉方向に開かれ、且つ、開閉軸と直交する第２の軸に対して９０度回転させた状態を示した図であり「テレビモード」が選択されたときの外観図である。
【図４】実施形態２における、テレビ電話の第１の筐体と第２の筐体とがヒンジ部を介して開閉方向に開かれた状態を示した図であり「電話モード」が選択されたときの外観図である。
【図５】実施形態２における、テレビ電話の第１の筐体と第２の筐体とがヒンジ部を介して開閉方向に開かれ、且つ、開閉軸と直交する第２の軸に対して９０度回転させた状態を示した図であり「テレビモード」が選択されたときの外観図である。
【図６】実施形態３における、テレビ電話の第１の筐体と第２の筐体とがヒンジ部を介して開閉方向に開かれた状態を示した図であり「電話モード」が選択されたときの外観図である。
【図７】実施形態３における、テレビ電話の第１の筐体と第２の筐体とがヒンジ部を介して開閉方向に開かれ、且つ、開閉軸と直交する第２の軸に対して９０度回転させた状態を示した図であり「テレビモード」が選択されたときの外観図である。
【図８】第１の実施形態におけるブロック図
【図９】第１の実施形態におけるフローチャート図
【図１０】第２の実施形態におけるブロック図
【図１１】第２の実施形態におけるフローチャート図
【図１２】第３の実施形態におけるブロック図
【図１３】第３の実施形態におけるフローチャート図
【図１４】従来例を説明する図
【図１５】従来例を説明する図
【符号の説明】
【００４６】
１０１  第１の筐体
１０２  第２の筐体
１０３  表示部
１０４  スピーカー
１０５  マイク
１０６  操作部
１０７  ヒンジ部
１０８  メール用メニューの切り替え１
１０９  メール用メニューの切り替え２
１１０  音量ボリュームの切り替え１（音量＋方向への切り替え）
１１１  音量ボリュームの切り替え２（音量−方向への切り替え）
８０１  ヒンジ部回転角度検出手段１
８０２  ヒンジ部回転角度検出手段２
８０３  電源ＯＦＦモード  テレビモード  電話モード  切り替え手段
１００１  ファンクションキー割り付け手段
１２０１  表示部１０３のアスペクト比切り替え手段
１４０１  表示部
１４０２  操作部
１４０３  電源ＯＦＦ  電話モード  テレビモード選択用スライドスイッチ
１４０４  テレビモード選択ポジション
１４０５  電源ＯＦＦ選択ポジション
１４０６  電話モード選択ポジション
１４０７  メール用メニューの切り替え１
１４０８  メール用メニューの切り替え２
１４０９  音量ボリュームの切り替え１（音量＋方向への切り替え）
１４１０  音量ボリュームの切り替え２（音量−方向への切り替え）
１５０１  第１の筐体
１５０２  第２の筐体
１５０３  ヒンジ部
１５０４  操作部
１５０５  回転方向
１５０６  回転方向
１５０７  表示部
１５０８  電源ＯＦＦ選択スイッチ
１５０９  テレビモード選択スイッチ
１５１０  電話モード選択スイッチ
１５１１  メール用メニューの切り替え１
１５１２  メール用メニューの切り替え２
１５１３  音量ボリュームの切り替え１（音量＋方向への切り替え）
１５１４  音量ボリュームの切り替え２（音量−方向への切り替え）
【図１】
2006148224.tif 000003
【図２】
2006148224.tif 000004
【図３】
2006148224.tif 000005
【図４】
2006148224.tif 000006
【図５】
2006148224.tif 000007
【図６】
2006148224.tif 000008
【図７】
2006148224.tif 000009
【図８】
2006148224.tif 000010
【図９】
2006148224.tif 000011
【図１０】
2006148224.tif 000012
【図１１】
2006148224.tif 000013
【図１２】
2006148224.tif 000014
【図１３】
2006148224.tif 000015
【図１４】
2006148224.tif 000016
【図１５】
2006148224.tif 000017